(57)【要約】【課題】作業性良く成形できると共に製作コストを低廉にでき、手に嵌めたときの装着感に優れ、桃等の果実の他に破損し易いものを扱うに好適であり、しかもゴム被膜で被覆した作業用手袋であっても通気性に優れ快適に使用できる抜け止め機能を備えた手袋を提供する。【解決手段】所定の糸を地編糸として平編により編成し、伸縮性の糸を添え糸として添え糸編することにより嵌めた手Ｈの関節に沿って略平行で且つ該嵌めた手Ｈの表面Ｈ１に接触し得る凸条９を内周面ａ１に列設した。この際、原手Ａ１の外周面ａ２の少なくとも手掌部７側の片面をゴム被膜１８により被覆するようにしても良い。【選択図】図１
2008063702.tif 000002
【特許請求の範囲】
【請求項１】
所定の糸を地編糸として平編により編成し、伸縮性の糸を添え糸として添え糸編することにより嵌めた手の関節に沿って略平行で且つ該嵌めた手の表面に接触し得る凸条を内周面に列設したことを特徴とする手袋。
【請求項２】
所定の糸を地編糸として平編により編成される原手の外周面の少なくとも手掌部側の片面をゴム被膜により被覆し、前記原手の内周面には伸縮性の糸を添え糸にして添え糸編することにより嵌めた手の関節に沿って略平行で且つ該嵌めた手の表面に接触し得る凸条を列設したことを特徴とする手袋。
【発明の詳細な説明】
【技術分野】
【０００１】
本発明は、嵌めた手が無用に抜け難い抜け止め機能を備えた手袋に関するものである。
【背景技術】
【０００２】
従来、この種の手袋として、例えば、手袋の内周面の適宜位置に点状もしくは線状の滑り止めのための弾性体を付着して成形したものが存在している（例えば、特許文献１参照。）
【０００３】
また、作業用手袋として、例えば、繊維製の手袋（以下、単に「原手」という。）の表面に背抜き状態でゴム被膜を形成したものが存在している（例えば、特許文献２参照。）
【特許文献１】特開２００５−１７９８７２号公報（第３頁、図２）
【特許文献２】特開２００４−２８５５２８号公報（第３頁、図３）
【発明の開示】
【発明が解決しようとする課題】
【０００４】
しかしながら、前記特許文献１の手袋は、滑り止め用の弾性体を付着させるにあたり、予め手袋を裏返して内周面の必要な部分に弾性体を取り付け、その部位にシリコンゴム製の凸型の型をセットしておき、手袋の外側からヒーターが付いた凹型の金型を押し当てて所定の温度を加え融着するといった極めて煩雑でありかつ面倒な作業を強いられる。このため、その作業に多くの時間が費やされ作業性が悪いばかりか製作コストも高くなるという課題が有る。
【０００５】
また、前記点状もしくは線状の滑り止めのための弾性体は、手袋の内周面の適宜位置に間隔を離して付着されるので、その手袋を手に嵌めたときそれらが手の表面に散在する突起として当たるので、違和感を覚え装着感が悪いという課題が有る。
【０００６】
更に、前記特許文献１の手袋は、例えば桃等の表面が傷つき易いデリケートな果実を木からもぎ取って収穫する所謂作業用として使用する場合、手袋の指部の先端部が比較的硬いことから、指先部の表面の弾力性に劣る。このため、指先の衝撃が直に桃の表面に伝わり該桃を傷付けてしまい商品として出荷できなくなるなど、破損し易いものを扱うに不向きであるという課題もある。
【０００７】
前記引用文献２の作業用手袋は、原手の表面に背抜き状態でゴム被膜が形成されており、しかも原手の裏面が平坦面であることから、原手の裏面が指部や手掌部に密着し易く通気性が良くない。このため、作業中に手に汗をかくと、作業用手袋を嵌めた手が汗ばんだりべとつき不快感を味わうことがある。
【０００８】
そこで、本発明は上記課題を払拭すべくなされたもので、作業性良く成形できると共に製作コストを低廉にでき、手に嵌めたときの装着感に優れ、桃等の果実の他に破損し易いものを扱うに好適であり、しかもゴム被膜で被覆した作業用手袋であっても通気性に優れ快適に使用できる抜け止め機能を備えた手袋を提供することを目的とするものである。
【課題を解決するための手段】
【０００９】
かかる目的を達成するため請求項１に係る手袋は、所定の糸を地編糸として平編により編成し、伸縮性の糸を添え糸として添え糸編することにより嵌めた手の関節に沿って略平行で且つ該嵌めた手の表面に接触し得る凸条を内周面に列設したことを特徴とする。
【００１０】
更に、請求項２に係る手袋は、所定の糸を地編糸として平編により編成される原手の外周面の少なくとも手掌部側の片面をゴム被膜により被覆し、前記原手の内周面には伸縮性の糸を添え糸にして添え糸編することにより嵌めた手の関節に沿って略平行で且つ該嵌めた手の表面に接触し得る凸条を列設したことを特徴とする。
【発明の効果】
【００１１】
請求項１記載の手袋は、平編により編成すると共に伸縮性の糸を添え糸として添え糸編することにより嵌めた手の関節に沿って略平行で且つ該嵌めた手の表面に接触し得る凸条を内周面に列設するようにしたので、手袋を編成する段階で滑り止め用の凸条が同時に成形できることとなる。よって、該凸条を成形するに、作業が簡単となり、その作業時間が短縮でき作業性が良いばかりか製作コストも低廉になし得るという効果が有る。
【００１２】
また、請求項１記載の手袋は、凸条を内周面に列設するようにしたので、これら凸条が編成された一部をなし手の表面全体に当たり散在する突起として当たることがないので、手に嵌めたときの違和感がなく装着感が極めて良いという効果が有る。
【００１３】
更に、請求項１記載の手袋は、原手の内周面に凸条を列設してなり、前記凸条は伸縮性の添え糸により設けられ柔軟性を有すると共にこれら凸条間に隙間が成形されることから、これらの隙間によって空気の層が形成され、手袋の表面の弾力性・クッション性に優れる。よって、例えば桃等の表面が傷つき易いデリケートな果実を扱う場合も、手袋の指部の先端部が比較的柔らかく、指先の衝撃が直に桃の表面に伝わりにくく該桃を傷付けることがほとんどない。このように、請求項１記載の手袋は桃などのような破損し易いものを扱うに好適であるという効果が有る。
【００１４】
請求項２記載の手袋は、前記各効果に加え、原手の外周面の少なくとも手掌部側の片面をゴム被膜により被覆してなり、凸条を原手の内周面に列設しているので、それら手の表面と原手の内周面との間に隙間、すなわち空気の層ができる。よって、通気性に優れ手袋を嵌めた手が汗ばんだりべとつくことがなく、快適に使用できるという効果が有る。
【発明を実施するための最良の形態】
【００１５】
以下、本発明に係る手袋の実施の形態を図面に基づき説明する。本発明に係る手袋は、スポーツ用手袋、作業用手袋等の種々の手袋に適用できるが、便宜上、本発明に係る手袋を作業用手袋として使用した場合について説明する。図１は本発明に用いられる原手であって裏返しして内周面を示す斜視図である。この原手Ａ１は、５本の指部１〜５と、手甲部６と、手掌部７及び手首部８とからなり、人間の手に近い形に形成されている。
【００１６】
この原手Ａ１は所定の糸として綿糸が選ばれ、該綿糸を地編糸にして１３〜１５ゲージのファインゲージにより、手首部８以外は平編に編成されると共に手首部８はゴム編により編成されている。前記所定の糸としては他に、麻糸，毛糸，絹糸，レーヨン糸，ウーリーナイロン糸，ポリエステル糸，ポリウレタン糸，これらの混紡糸、例えばＴＣ混紡糸などが有る。
ゲージとは、編み機の針の密度、１インチ間の編み針の本数のことをいい、一般に１０ゲージ未満のローゲージまたはミドルゲージと１０ゲージ以上のファインゲージ（ハイゲージ）が有るが、本発明はいずれのゲージであっても目的が達成できる。ただ、ファインゲージの方が好ましく、１６以上であっても良い。
【００１７】
そして、前記平編部分には全体にウーリーナイロン糸又はポリウレタン糸のような伸縮性糸を添え糸として添え糸編し、これにより原手Ａ１の内周面ａ１に手首部８を除きその全体に凸条９が列設される。手首部８がない場合は内周面ａ１全体に凸条９が列設される。すなわち、これら凸条９は横縞模様状に成形され、手袋としての作業用手袋Ａを手Ｈに嵌めたとき該手Ｈの関節に沿って略平行となしかつ該嵌めた手Ｈの表面Ｈ１に接触し得ることになる。図１では、凸条９を示すため裏返した原手Ａ１を表したが、成形上は、原手Ａ１の内周面ａ１に凸条９が列設される。なお、前記添え糸は、伸縮性糸であれば他の化学繊維を用いるようにしても良い。
【００１８】
図２は半加硫を行なうための浸漬用手型の正面図、図３は同平面図である。この浸漬用手型Ｂは手首部８ｂが若干下方へ湾曲し、手甲部６ｂ及び手掌部７ｂがほぼ水平に位置している。５本の指部１ｂ〜５ｂは手甲部６ｂからほぼ真直ぐに延び、それら各指先部１１ｂ〜５５ｂが多少下向きに位置し、また、各指部１ｂ〜５ｂ間の又部１０〜１３は傾斜面にしてある。更に、手首部８ｂ上面には、底面が中央峰部１４で一番高くかつ該中央峰部１４を挟んだ両側面１５，１５を両側端に向かうに従い下傾させた長溝１６が設けられている。
【００１９】
そこで、内周面ａ１に凸条９が列設される原手Ａ１をそのまま前記浸漬用手型Ｂに被せ、浸透防止剤であるメタノール溶液中にその全体を一旦浸漬して引き上げる。次に、図４に示すように天然ゴムラテックス（固形分）に安定剤・分散剤、イオウ、亜鉛華、加硫促進剤、老化防止剤、顔料を適宜配合割合で混合して作られたゴムラテックス配合物の原料液１７中に、前記原手Ａ１をその手甲部６及び各指部１〜５の先端側を除く背面部が沈まないようにして５秒間浸漬し、ゴムラテックス配合物の原料液１７の被膜ができるだけ薄くなるようにして引き上げる。これにより、原手Ａ１の外周面ａ２にゴムラテックス配合物の原料液１７すなわちゴム被膜１８が背抜き状態で付着される。
【００２０】
ところで、前記ゴムラテックス配合物の原料液１７に前記原手Ａ１を浸漬する際、該ゴムラテックス配合物の原料液１７が原手Ａ１の繊維を通して原手Ａ１内部に浸透することをいかに防止するかという問題が有る。そこで、本実施の形態においては、原手Ａ１の編み目が広すぎないように編み方、長さ、太さに留意しており、更に、浸漬用手型Ｂの形状も原手Ａ１を被せた場合、編目が広がらないようにしている。特に、浸漬用手型Ｂに被せた原手Ａ１にメタノールを軽く付着させているが、これは、微弱な凝固作用によってゴムラテックス配合物の原料液１７が原手Ａ１になじみ、境界線が綺麗にしかも均一に付着されるようにするためである。
【００２１】
前述のように原手Ａ１にゴムラテックス配合物の原料液１７を付着させた後、この原手Ａ１に付着したゴムラテックス配合物の原料液１７を約７０℃の温度で適宜時間の間加熱して半加硫を行なう。このように半加硫が低温で行なわれるので、この段階では原手Ａ１に形成されたゴム被膜１８が柔軟性を有し、ソフトで脱型に耐える強度を持つことになる。
【００２２】
図５は、本加硫を行うためのセット用手型の斜視図である。該セット用手型Ｃは、前記浸漬用手型Ｂより全体的に僅かに大きく、親指部１ｃが手掌部７ｃ面より大きく前方に張り出し、他の４本の指部２ｃ〜５ｃが手掌部７ｃ側に湾曲して、人間の手に近い形に形成されている。また、半加硫した原手Ａ１を本加硫する前にセット用手型Ｃに被せたとき、浸漬用手型Ｂ、セット用手型Ｃの形状が互いに異なることから、必然的に皺が生ずることになる。そこで、前記セット用手型Ｃでは、その皺が生ずる部分、例えば親指部１ｃと人指部２ｃとの間１２ｃ、または手掌部７ｃ面の下側部７７ｃなどに肉盛り部が設けられ、一方、各指部１ｃ〜５ｃの付根部分は必要量削られている。
【００２３】
このようなセット用手型Ｃに凸条９が設けられた内周面ａ１を内側としたまま前記原手Ａ１を被せ、その後約９０〜１００℃の温度で適宜時間の間本加硫を行う。これにより、原手Ａ１に付着するゴム被膜１８の架橋による網目構造が充分に形成され、原手Ａ１はセット用手型Ｃの形に沿って強制的に整形されることになる。この本加硫による工程が終了すると、図６、図７に示すように手掌部７側である必要な部分にのみゴム被膜１８を備え背抜きした作業用手袋Ａが完成する。
【００２４】
前記のように半加硫又は本加硫するときは、ゴムラテックス配合物の原料液１７により被覆した原手Ａ１を浸漬用手型Ｂ又はセット用手型Ｃに被せ、一定の温度で加熱し乾燥させることになる。この際、凸条９により原手Ａ１の内周面ａ１と浸漬用手型Ｂの外周面又はセット用手型Ｃの外周面との間には凸条９による隙間Ｓができ空気の層ができることから、その乾燥が効率的に行われる。よって、従来に比べ乾燥時間を短くすることができる。
【００２５】
このようにして成形された作業用手袋Ａは、原手Ａ１の外周面ａ２が指部１〜５の先端側を除く背面部と手甲部６とを残してゴム被膜１８により被覆される。また、その内周面ａ１には、全体に各指部１〜５の関節に沿って略平行となる凸条９が列設され横縞模様状に成形される。これら凸条９は、手Ｈが作業用手袋Ａから抜け出る方向とほぼ直交して手Ｈの表面Ｈ１に接触することとなり、手の滑り止め機能を果す。
【００２６】
例えば、作業用手袋Ａを両手に嵌めて荷物Ｐを持って運ぶ場合、図８に示すように手Ｈを荷物Ｐの外周面Ｈ１に当接したとき、手Ｈの表面Ｈ１に凸条９が食い込みその滑りを抑える。これにより、作業用手袋Ａから手Ｈが滑って抜けそうになることがほとんどない。特に、この場合、荷物Ｐの外周面Ｐ１とゴム被膜１８との間は摩擦抵抗が大きいので、これに伴い手Ｈが滑り抜けそうになるとき、作業用手袋Ａの原手Ａ１の内周面ａ１に圧接して作業用手袋Ａの原手Ａ１の内周面ａ１の凸条９が手Ｈの表面Ｈ１に強く食い込むことになりその滑りを確実に抑える。これによって、作業用手袋Ａから手Ｈが滑って抜けそうになることがほとんどなくなる。よって、作業がし易いばかりか運んだ荷物Ｐを落としてしまうといった失態もなくなる。前記凸条９の手Ｈへの食い込みは、荷物Ｐの外周面Ｐ１とゴム被膜１８との間の摩擦抵抗が大きいほど著しい。
【００２７】
また、前記凸条９を作業用手袋Ａの原手Ａ１の内周面ａ１に列設しているので、図８に示すようにそれら凸条９間であって内周面ａ１と手Ｈの表面Ｈ１との間に隙間Ｓ（空気の層）ができ通気性に優れる。よって、このようにゴム被膜１８を備えた作業用手袋Ａにあっては、作業中に手Ｈに汗をかいても、手Ｈが汗ばんだりべとついたりすることがなく、快適に使用できる。しかも、原手Ａ１に凸条９といったゴム被膜１８の密着しない部分ができ、その部分が汗を吸収するので、汗によって作業用手袋Ａに対して手Ｈが滑るといった事態も低減される。
【００２８】
更に、前記凸条９は伸縮性の添え糸により設けられ柔軟性を有すると共に、これら凸条９間に隙間Ｓが成形されることから、作業用手袋Ａの表面の弾力性・クッション性に優れる。よって、例えば図９に示すようにデリケートな桃等の果実Ｆを作業用手袋Ａを嵌めた手Ｈで持った場合、クッション性の有る前記凸条９間の隙間Ｓ側が果実Ｆの外表面Ｆ１に当接するので、前記手Ｈで握ったときの衝撃が果実Ｆに直に伝わるようなことがない。よって、それら果実Ｆを傷めるようなことがなく安全である。
【００２９】
本発明にあっては、原手Ａ１を背抜きした状態でゴム被膜１８により被覆した場合を実施の形態として示したが、原手Ａ１の両面全体をゴム被膜１８により被覆した場合にも適用可能である。そして、例えば冷たい水や氷水に作業用手袋Ａを曝して作業をする場合、前記凸条１９間の隙間Ｓにより作業用手袋Ａの内周面ａ１と手Ｈの表面Ｈ１との間に空気の層が成形されるので、断熱効果が得られ保温性に優れ作業がし易くなる。
【００３０】
本実施の形態にあっては、原手Ａ１の外周面の手掌部７側の片面のみをゴム被膜１８により被覆した作業用手袋Ａについて説明したが、原手Ａ１の外周面全体をゴム被膜１８により被覆した手袋についても本発明が適用できる。また、ゴム被膜１８を全く被覆しない手袋についても本発明が適用できる。
【００３１】
なお、前記のように原手Ａ１の内周面ａ１に伸縮性糸を添え糸にして添え糸編し、各指部１〜５の関節に沿って略平行となる凸条９を列設して横縞模様状に設けることにより、作業用手袋Ａの手掌部７におけるたるみが少なくなり、手Ｈのフィット感が極めて良くなる。
【図面の簡単な説明】
【００３２】
【図１】本発明に用いられる原手であって裏返しして内周面を示す斜視図。
【図２】半加硫を行うための浸漬用手型の正面図。
【図３】同平面図。
【図４】原手を被せた浸漬用手型を原料液中に浸漬させた状態の側面断面図。
【図５】セット用手型の斜視図。
【図６】本発明に係る作業用手袋の手掌部を前側にして示す斜視図。
【図７】同作業用手袋の手甲部を前側にして示す斜視図。
【図８】同作業用手袋の使用状態を示す一部の拡大断面図。
【図９】同作業用手袋の一部を断面にして示す斜視図。
【符号の説明】
【００３３】
９                凸条
１８              ゴム被膜
Ａ                手袋（作業用手袋）
Ａ１              原手
ａ１              内周面
ａ２              外周面
Ｈ                手
Ｈ１              表面
【図１】
2008063702.tif 000003
【図２】
2008063702.tif 000004
【図３】
2008063702.tif 000005
【図４】
2008063702.tif 000006
【図５】
2008063702.tif 000007
【図６】
2008063702.tif 000008
【図７】
2008063702.tif 000009
【図８】
2008063702.tif 000010
【図９】
2008063702.tif 000011